(57)【要約】  チャネルバー（７０ａ、７０ｂ）によって一緒にロックされるブロック（１００）を有する、擁壁。【選択図】図３１
2013521422.tif 000002
【特許請求の範囲】
【請求項１】
対向する前面および背面、対向する第１の側壁および第２の側壁、ならびに対向する実質的に平行な上面および底面を有するブロック本体を含む壁ブロックであって、前記上面は、受入チャネルを有し、前記受入チャネルは、１つまたは複数のピン穴の方に開口する、壁ブロック。
【請求項２】
前記前面は、前記背面に対して実質的に平行である、請求項１に記載の壁ブロック。
【請求項３】
前記受入チャネルは、前記前面に対して実質的に平行である、請求項１に記載の壁ブロック。
【請求項４】
前記受入チャネルは、対称垂直面に対して実質的に垂直である、請求項１に記載の壁ブロック。
【請求項５】
前記受入チャネルは、前記背面よりも前記前面に近接している、請求項１に記載の壁ブロック。
【請求項６】
前記受入チャネルは、前記第１の側壁から前記第２の側壁に延在し、前記第１の側壁および前記第２の側壁の方に開口する、請求項４に記載の壁ブロック。
【請求項７】
前記受入チャネルは、前記第１の側壁から前記第２の側壁に延在せず、前記第１の側壁の方にも前記第２の側壁の方にも開口しない、請求項４に記載の壁ブロック。
【請求項８】
前記受入チャネルは、少なくとも１つのペアのピン穴の方に開口する、請求項１に記載の壁ブロック。
【請求項９】
前記受入チャネルは、１つのペアのピン穴の方に開口する、請求項１に記載の壁ブロック。
【請求項１０】
前記受入チャネルは、２つのペアのピン穴の方に開口する、請求項１に記載の壁ブロック。
【請求項１１】
前記受入チャネルは、ペアのピン受入キャビティの方に開口する、請求項１に記載の壁ブロック。
【請求項１２】
前記ピン受入キャビティは、上部を有し、前記ピン受入キャビティの前記上部は、前記受入チャネルの方にだけ開口する、請求項１１に記載の壁ブロック。
【請求項１３】
前記ピン受入キャビティは、上部を有し、前記ピン受入キャビティの前記上部は、前記受入チャネルおよび前記上面の方に開口する、請求項１１に記載の壁ブロック。
【請求項１４】
前記前面と前記背面の両方は、ある長さを有し、前記前面の前記長さは、前記背面の前記長さより長い、請求項１に記載の壁ブロック。
【請求項１５】
前記側壁の少なくとも一部分が、前記前面から前記背面にかけて内側に傾斜し、したがって、それぞれの側壁の前記一部分が、前記前面と鋭角を形成する、請求項１４に記載の壁ブロック。
【請求項１６】
前記受入チャネルは、ペアのピン受入キャビティの方に開口する、請求項８に記載の壁ブロック。
【請求項１７】
前記受入チャネルは、ペアのピン受入キャビティの方に開口する、請求項９に記載の壁ブロック。
【請求項１８】
前記受入チャネルは、深さが６．４〜３８ｍｍ（０．２５〜１．５インチ）である、請求項１に記載の壁ブロック。
【請求項１９】
前記底面は、ピンを受け入れることができる第２の受入チャネルを含む、請求項１に記載の壁ブロック。
【請求項２０】
前記ブロックは、コアを含む、請求項１に記載の壁ブロック。
【請求項２１】
複数の壁ブロックから形成される壁を安定させるために使用される土壌保持材料を係合する際に使用するためのチャネルバーであって、それぞれのブロックが、受入チャネルを有する上面を有する、チャネルバーにおいて、前記チャネルバーは、
前記受入チャネル内に前記土壌保持材料を係合するように構成された細長いバーを含み、前記細長いバーは、概して矩形であり、上面、底面、前面、背面、ならびに第１および第２の側面を有し、前記上面と前記底面は、実質的に平行であり、前記第１の側面と前記第２の側面は、実質的に平行であり、前記前面は、複合的な角度がある形状であり、前記細長いバーは、ピンを受け入れる少なくとも１つのピン受入スラットを有する、チャネルバー。
【請求項２２】
前記細長いバーは、ピンを受け入れる少なくとも２つのピン受入スラットを有する、請求項２１に記載のチャネルバー。
【請求項２３】
前記背面は、形状が湾曲している、請求項２１に記載のチャネルバー。
【請求項２４】
複数の壁ブロックから形成される壁を安定させるために使用される土壌保持材料を係合する際に使用するためのチャネルバーであって、それぞれのブロックが、受入チャネルを有する上面を有する、チャネルバーにおいて、前記チャネルバーは、
前記受入チャネル内に前記土壌保持材料を係合するように構成された細長いバーを含み、前記細長いバーは、上面、底面、前面、背面、ならびに第１および第２の側面を含む、概して矩形の土台部を有し、前記上面と前記底面は、実質的に平行であり、前記第１の側面と前記第２の側面は、実質的に平行であり、前記前面と前記背面は、実質的に平行であり、前記底面は、前記底面から延びる少なくとも１つのチャネルバーのピンを有する、チャネルバー。
【請求項２５】
前記底面は、前記底面から延びる少なくとも２つのチャネルバーのピンを有する、請求項２４に記載のチャネルバー。
【請求項２６】
前記上面は、前記上面から延びる少なくとも１つのチャネルバーのピンを有する、請求項２４に記載のチャネルバー。
【請求項２７】
前記上面は、前記上面から延びる少なくとも２つのチャネルバーのピンを有する、請求項２４に記載のチャネルバー。
【請求項２８】
前記少なくとも１つのチャネルバーのピンは、摩擦フィンを含む、請求項２５に記載のチャネルバー。
【請求項２９】
少なくとも１つの下部段および少なくとも１つの上部段を含む複数のブロックであって、少なくとも１つのブロックが、対向する前面および背面、対向する第１の側壁および第２の側壁、ならびに対向する実質的に平行な上面および底面を有するブロック本体を有し、前記上面は、受入チャネルを有し、前記受入チャネルは、１つまたは複数のピン穴の方に開口する、複数のブロックと、
土壌保持材料と、
前記受入チャネル内に前記土壌保持材料を係合するように構成された細長いバーを含むチャネルバーと
を含み、前記細長いバーは、概して矩形であり、上面、底面、前面、背面、ならびに第１および第２の側面を有し、前記上面と前記底面は、実質的に平行であり、前記第１の側面と前記第２の側面は、実質的に平行であり、前記細長いバーは、ピンを受け入れる少なくとも１つのピン受入スラットを有する、
擁壁。
【請求項３０】
前記少なくとも１つのブロックの前記前面は、前記背面に対して実質的に平行である、請求項２９に記載の擁壁。
【請求項３１】
前記少なくとも１つのブロックの前記受入チャネルは、前記前面に対して実質的に平行である、請求項２９に記載の擁壁。
【請求項３２】
前記少なくとも１つのブロックの前記受入チャネルは、対称垂直面に対して実質的に垂直である、請求項２９に記載の擁壁。
【請求項３３】
前記少なくとも１つのブロックの前記受入チャネルは、前記背面よりも前記前面に近接している、請求項２９に記載の擁壁。
【請求項３４】
前記少なくとも１つのブロックの前記受入チャネルは、前記第１の側壁から前記第２の側壁に延在し、前記第１の側壁および前記第２の側壁の方に開口する、請求項３２に記載の擁壁。
【請求項３５】
前記少なくとも１つのブロックの前記受入チャネルは、前記第１の側壁から前記第２の側壁に延在せず、前記第１の側壁の方にも前記第２の側壁の方にも開口しない、請求項３２に記載の擁壁。
【請求項３６】
前記少なくとも１つのブロックの前記受入チャネルは、少なくとも１つのペアのピン穴の方に開口する、請求項２９に記載の擁壁。
【請求項３７】
前記少なくとも１つのブロックの前記受入チャネルは、１つのペアのピン穴の方に開口する、請求項２９に記載の擁壁。
【請求項３８】
前記少なくとも１つのブロックの前記受入チャネルは、２つのペアのピン穴の方に開口する、請求項２９に記載の擁壁。
【請求項３９】
前記少なくとも１つのブロックの前記受入チャネルは、ペアのピン受入キャビティの方に開口する、請求項２９に記載の擁壁。
【請求項４０】
前記少なくとも１つのブロックの前記ピン受入キャビティは、上部を有し、前記ピン受入キャビティの前記上部は、前記受入チャネルの方にだけ開口する、請求項３９に記載の擁壁。
【請求項４１】
前記少なくとも１つのブロックの前記ピン受入キャビティは、上部を有し、前記ピン受入キャビティの前記上部は、前記受入チャネルおよび前記上面の方に開口する、請求項３９に記載の壁ブロック。
【請求項４２】
前記少なくとも１つのブロックの前記前面と前記背面の両方は、ある長さを有し、前記前面の前記長さは、前記背面の前記長さより長い、請求項２９に記載の擁壁。
【請求項４３】
前記少なくとも１つのブロックは、コアを有する、請求項２９に記載の擁壁。
【請求項４４】
前記細長いバーは、ピンを受け入れる少なくとも２つのピン受入スラットを有する、請求項２９に記載の擁壁。
【請求項４５】
前記細長いバーの前記背面は、形状が湾曲している、請求項２９に記載の擁壁。
【請求項４６】
前記チャネルバーの前記前面は、複合的な角度がある形状を有する、請求項２９に記載の擁壁。
【請求項４７】
前記細長いバーの前記前面と前記背面は、実質的に平行である、請求項２９に記載の擁壁。
【請求項４８】
前記擁壁は、前記１つまたは複数のピン穴中に１つまたは複数のピンをさらに含む、請求項２９に記載の擁壁。
【請求項４９】
少なくとも１つの下部段および少なくとも１つの上部段を含む複数のブロックであって、少なくとも１つのブロックが、対向する前面および背面、対向する第１の側壁および第２の側壁、ならびに対向する実質的に平行な上面および底面を有するブロック本体を有し、前記上面は、受入チャネルを有し、前記受入チャネルは、１つまたは複数のピン穴の方に開口する、複数のブロックと、
土壌保持材料と、
前記受入チャネル内に前記土壌保持材料を係合するように構成された細長いバーを含むチャネルバーと
を含み、前記細長いバーは、上面、底面、前面、背面、ならびに第１および第２の側面を含む、概して矩形の土台部を有し、前記上面と前記底面は、実質的に平行であり、前記第１の側面と前記第２の側面は、実質的に平行であり、前記前面と前記背面は、実質的に平行であり、前記底面は、前記底面から延びる少なくとも１つのチャネルバーのピンを有する、
擁壁。
【請求項５０】
前記概して矩形の土台部の前記底面は、前記底面から延びる少なくとも２つのチャネルバーのピンを有する、請求項４９に記載の擁壁。
【請求項５１】
前記概して矩形の土台部の前記上面は、前記上面から延びる少なくとも１つのチャネルバーのピンを有する、請求項４９に記載の擁壁。
【請求項５２】
前記概して矩形の土台部の前記上面は、前記上面から延びる少なくとも２つのチャネルバーのピンを有する、請求項５０に記載の擁壁。
【請求項５３】
前記少なくとも１つのチャネルバーのピンは、摩擦フィンを含む、請求項４９に記載の擁壁。
【発明の詳細な説明】
【技術分野】
【０００１】
[0001]本願は、２０１０年３月４日出願で、「擁壁ブロックシステム（Ｒｅｔａｉｎｉｎｇ  Ｗａｌｌ  Ｂｌｏｃｋ  Ｓｙｓｔｅｍ）」と題する米国仮特許出願第６１／３１０，４６６号に基づき、利益を主張するものであり、その内容は、これにより、参照によって本明細書に組み込まれる。
【０００２】
[0002]本発明は、擁壁ブロックおよびかかるブロックから製作される壁に関する。具体的には、本発明は、ジオグリッド（ｇｅｏｇｒｉｄ）などの土壌強化材料とともに使用することができるピン止めシステムおよびチャネルバーを有する擁壁ブロックと、それらから製作される壁とに関する。
【背景技術】
【０００３】
[0003]擁壁を構築するために、多くの方法および材料が存在する。そのような方法は、天然石、現場打ちコンクリート、プレキャストコンクリート、石造り、および造園用木材または枕木の使用を含む。ここ数年、乾燥状態で積み重ねられる（すなわち、モルタルを使用せずに建築される）セグメント式コンクリートの擁壁ユニットが、擁壁の構築用に広く受け入れられた製品になっている。そのような製品の例は、米国特許第Ｒｅ．３４，３１４号（Ｆｏｒｓｂｅｒｇ  ’３１４）および米国特許第５，２９４，２１６号（Ｓｉｅｖｅｒｔ）に開示されている。そのような製品は、高い評判を得ている、というのは、それらは、大量生産され、したがって比較的安価であるからである。それらは、設置するのに構造的に信頼でき、容易であり、比較的安価であり、コンクリートの耐久性を様々な建築上の仕上げの魅力と結び付ける。
【０００４】
[0004]Ｆｏｒｓｂｅｒｇ  ’３１４に記載の擁壁システムは、それがブロック設計を使用しているので、特に成功しており、そのブロック設計とは、他の設計要素の中でも特に、擁壁ユニットを連結して位置合わせし、それによって構造強度および効率的な設置速度を可能にする、ユニークなピン止めシステムを含む。また、このシステムは、米国特許第４，９１４，８７６号（Ｆｏｒｓｂｅｒｇ）に記載されているように、ピンによって留められるジオグリッドのタイバック（ｔｉｅ−ｂａｃｋ）の使用と組み合わされたとき、より大きい壁の構築において、注目に値する利点を示している。
【０００５】
[0005]Ｆｏｒｓｂｅｒｇに記載されるモジュール式コンクリート擁壁の構築は、いくつかの比較的簡単なステップを含む。第１に、高密度の基礎材料または無補強コンクリートの高さ調整パッド（ｌｅｖｅｌｉｎｇ  ｐａｄ）を配置し、押し固め、水平にする。第２に、ブロックの最初の段を配置し、水平にする。それぞれのブロックにピンを２つずつピン穴中に入れる。第３に、砕石などのコア充填材料をブロックのコア、およびブロックの間の空間の中に入れて、排水を助長し、壁構造物に質量を追加する。第４に、それぞれのブロックが、その下にある２つのブロックの間に配置されるような「長手積み（ｒｕｎｎｉｎｇ  ｂｏｎｄ）」パターンで、ブロックの段を引き続き配置する。これは、ブロックの底部の受入キャビティが、その下の段のユニット中に配置されているピンに合うようにブロックを配置することによって、実施される。それぞれの段を配置するとき、ブロック中にピンを入れ、ブロックは、排水石でそのコアが充填され、壁が、所望の高さに達するまで、段の背面地に埋戻しを施し、押し固める。
【０００６】
[0006]本技術で述べられる多数の擁壁システムは、ジオグリッド、ジオシンセティック強化、またはジオグリッド土壌強化とも言われる強化材料の使用を含む。時には、これらの用語は、互いに置換え可能なものとして使用されるが、「ジオグリッド」は、ここで使用するとき、総称として意図される。強化材料は、スチール網など、伸張性でなくても、またはマットおよび配向ポリマー材料など、伸張性のジオシンセティック材料であってもよい。たとえば、平坦なポリマーシートを使用して、シート中に穴を形成し、次いでシートを引っ張ってポリマーを配向し、その係数を増加させることによって、ジオグリッドを形成する。そのようなポリマー材料は、高密度ポリエチレン（ＨＤＰＥ）を含み、これらの材料は、比較的堅いジオグリッドを形成し、商品表示「ＴＥＮＳＡＲ」で市販されている。
【０００７】
[0007]ＨＤＰＥ材料は、比較的堅いが、第２のタイプのジオシンセティック材料が、通常、織られた、または編まれたポリエステル繊維から形成されるマットから構成される。これらは、大きい（たとえば、２．５ｃｍ（１インチ）以上）の開口部によって特徴付けられる直線状のポリマー構造体を含むことができる。これらの開口構造のジオグリッドでは、ポリマーストランドが、格子状で一緒に織られる、編まれる、または（接着剤および／または加熱によって）「密接にまとめられる」。比較的柔軟なジオグリッドを製作するために使用されるポリマーは、ポリエステル繊維を含む。ポリエステルは、通常、ポリ塩化ビニル（ＰＶＣ）またはラテックストップコート（ｌａｔｅｘ  ｔｏｐｃｏａｔ）を一般に使用して、被覆される。被覆は、紫外線（ＵＶ）安定化のために、カーボンブラックを含むことができる。開口構造のジオグリッドには、縦糸繊維にポリエステルより糸を、横糸繊維としてポリプロピレンを含むものもある。
【０００８】
[0008]別の柔軟な強化ジオシンセティック材料は、ジオテキスタイル織物（ｇｅｏｔｅｘｔｉｌｅ  ｆａｂｒｉｃ）、すなわち大きな開口部がない、織られた、または織られていない構造体である。通常、これらの織物はポリマーを含み、ジオファブリック（ｇｅｏｆａｂｒｉｃ）と呼ぶことがある。ジオファブリックは、壁中でブロックの段の間に敷くことができ、通常、壁中に縛られ、そこに保持される。ブロックがピンコネクタを有するように構成されているとき、たとえば、穴またはスリットを、構築現場でジオファブリック中に形成し、ピンを覆ってジオファブリックを取り付けることによって、ジオファブリックは、ブロック上に保持される。
【０００９】
[0009]通常の使用では、ジオグリッドは、擁壁の背後に延在して、壁の背後の地中に結合され、それによって、壁外装材中に密着して結合される土塊が生成されて、その壁外装材は転倒に耐える。ジオグリッドは、ブロックの段に機械的に接続されるか、またはブロックの段の間にジオグリッド層を配置することによって生成される摩擦に依存するのかのいずれかである。接続モードが摩擦だけであるとき、ジオグリッドは、ブロックの段の上部に配置され、次いでブロックの後続の層が、そのジオグリッドの上部に配置される。接続が機械的であるとき、ブロックの段を所望の高さに配置した後、ジオグリッドは、ブロックの段上に配置され、ブロック中へのピンによって（それは、ブロックを位置合わせして一緒に保持する機能を主とすることができる）、または特別のコネクタによって、所定の位置に保持される。柔軟なジオグリッドは、擁壁の背後でジオグリッドを後方に引っ張り固定することによって、張力を受ける状態にされる。埋戻し材が、ジオグリッドを覆って配置され、押し固められる。壁の構築が継続され、ジオグリッドの追加の層を含めることができる。
【発明の概要】
【発明が解決しようとする課題】
【００１０】
[0010]このようなシステムは、多くの壁の用途で信頼性のあることが証明されている。しかし、これらの性能には、具体的に壁の上部部分で限界があり、そこでは、ジオグリッド層の上のブロックの荷重は、接続部に対してそれほどの荷重を与えず、したがって摩擦力が減少する。摩擦接続部を使用すると、壁の設計者および建築者は、より多くのより強度が高いジオグリッドを使用するように強いられる、というのは、接続強度によってシステムの強度が制約され、このために、壁にさらなる費用が発生するからである。機械的コネクタおよび保持メカニズムにより、荷重に依存しないやり方でジオグリッドを壁外装材に機械的に接続することによって、この制約を克服しようという試みがなされている。このアプローチに関する難点は、高いレベルの効率的な接続をもたらすために、そのようなコネクタおよび保持メカニズムは、ジオグリッド強化を使用するコストにかなりの費用を追加し、さらに設置プロセスに複雑さと費用を追加しなければならないことである。それゆえ、両方のアプローチには欠点がある。
【００１１】
[0011]しかし、擁壁の構築方法を容易にし、さらにその上、建築される壁の構築の容易さおよびその耐久性を最適化することは、望ましいことである。
[0012]ブロックを連結するためのピン止めシステムを有する壁ブロックおよびその壁ブロックから壁を製造することは、望ましいはずである。
【００１２】
[0013]さらに、ピン止めシステムを、ジオグリッドなどの土壌強化材料とともに使用することは、望ましいはずである。
[0014]また、ブロックを連結するためのピン止めシステムと、土壌強化材料をブロックに固定するジオグリッドなどの土壌強化材料と組み合わせて使用することができるチャネルバーを用いるチャネルとを有する壁ブロックを製造することは、望ましいはずである。
【００１３】
[0015]また、ブロックを連結するためのピン止めシステムと、ジオグリッドなどの土壌強化材料と組み合わせて使用して、土壌強化材料をブロックに固定することができるチャネルバーを用いるチャネルとを有する壁ブロックから擁壁を製造し、したがって、壁自体が、擁壁のより大きい安定性および耐久性をもたらすことは、望ましいはずである。
【００１４】
[0016]さらに、ピンを用いてブロックの段を連結するチャネルバーシステムを備える壁ブロックから擁壁を製造することは、望ましいはずである。
[0017]さらに、湾曲に、円形に、または波形に形作られる壁の生成を可能にするピン止めシステムおよび／またはチャネルバーシステムを備える壁ブロックから、擁壁などの壁を製造することは、望ましいはずである。
【課題を解決するための手段】
【００１５】
[0018]本発明は、対向する前面および背面、対向する第１および第２の側壁、ならびに対向する実質的に平行な上面および底面を有するブロック本体を含む壁ブロックを提供し、上面は、受入チャネルを有し、受入チャネルは、１つまたは複数のピン穴の方に開口する。
【００１６】
[0019]本発明は、複数の壁ブロックから形成される壁を安定させるために使用される土壌保持材料を係合する際に使用するためのチャネルバーを提供し、それぞれのブロックが、受入チャネルを有する上面を有し、そのチャネルバーは、受入チャネル内に土壌保持材料を係合するように構成された細長いバーを含み、その細長いバーは、概して矩形であり、上面、底面、前面、背面、ならびに第１および第２の側面を有し、上面および底面は、実質的に平行であり、第１の側面と第２の側面は、実質的に平行であり、前面は、複合的な角度がある形状であり、その細長いバーは、ピンを受け入れる少なくとも１つのピン受入スラットを有する。
【００１７】
[0020]本発明は、複数の壁ブロックから形成される壁を安定させるために使用される土壌保持材料を係合する際に使用するためのチャネルバーを提供し、それぞれのブロックは、受入チャネルを有する上面を有し、そのチャネルバーは、受入チャネル内に土壌保持材料を係合するように構成された細長いバーを含み、その細長いバーは、上面、底面、前面、背面、ならびに第１および第２の側面を含む、概して矩形の土台部を有し、上面および底面は、実質的に平行であり、第１の側面と第２の側面は、実質的に平行であり、前面および背面は、実質的に平行であり、底面は、底面から延びる少なくとも１つのチャネルバーのピンを有する。
【００１８】
[0021]本発明は、擁壁を提供し、その擁壁は、少なくとも１つの下部段および少なくとも１つの上部段を含む複数のブロックであって、少なくとも１つのブロックが、対向する前面および背面、対向する第１および第２の側壁、ならびに対向する実質的に平行な上面および底面を有するブロック本体を含み、上面は、受入チャネルを有し、受入チャネルは、１つまたは複数のピン穴の方に開口する、複数のブロックと、土壌保持材料と、受入チャネル内に土壌保持材料を係合するように構成された細長いバーを含むチャネルバーとを含み、その細長いバーは、概して矩形であり、上面、底面、前面、背面、ならびに第１および第２の側面を有し、上面および底面は、実質的に平行であり、第１の側面と第２の側面は、実質的に平行であり、その細長いバーは、ピンを受け入れる少なくとも１つのピン受入スラットを有する。
【００１９】
[0022]本発明は、擁壁を提供し、その擁壁は、少なくとも１つの下部段および少なくとも１つの上部段を含む複数のブロックであって、少なくとも１つのブロックが、対向する前面および背面、対向する第１および第２の側壁、ならびに対向する実質的に平行な上面および底面を有するブロック本体を含み、上面は、受入チャネルを有し、受入チャネルは、１つまたは複数のピン穴の方に開口する、複数のブロックと、土壌保持材料と、受入チャネル内に土壌保持材料を係合するように構成された細長いバー含むチャネルバーとを含み、その細長いバーは、上面、底面、前面、背面、ならびに第１および第２の側面を含む、概して矩形の土台部を有し、上面および底面は、実質的に平行であり、第１の側面と第２の側面は、実質的に平行であり、前面および背面は、実質的に平行であり、底面は、底面から延びる少なくとも１つのチャネルバーのピンを有する。
【００２０】
[0023]本発明は、壁中でブロックの段を連結するピン止めシステム、および擁壁の段中でブロックにジオグリッドなどの土壌強化材料を固定するチャネルバーシステムを用いて、擁壁を構築する方法に関する。ブロックは、ピン穴およびピン受入キャビティを備え、壁の下部段中のブロックのピン穴は、ピンのシャフトまたは基礎を受け入れ、壁の上部段中のブロックのピン受入キャビティは、ピンのヘッドまたは上部を受け入れ、それによって、上部段中および下部段中のブロックが連結される。また、ブロックは、ピン穴を有し、ブロックの表面にピン止めシステムのピンを受け入れる受入チャネルを備える。土壌強化材料の層が、ピンおよび受入チャネルを覆って敷かれ、次いで、ピン受入スラットを備えるチャネルバーが、ピンおよび土壌強化材料を覆って、かつ受入チャネル中に配置される。次いで、土壌強化材料は、チャネルバーおよびピンを覆って折り返されて、壁の保持される土に向けて後方に延在する。チャネルバーは、土壌強化材料が壁の保持される土に向けて後方に引っ張られたとき、チャネルバーが受入チャネル中で枢動して、土壌強化材料を擁壁に固定することが可能なように製造される。ピンのヘッドまたは上部が、上部段のピン受入キャビティ中に受け入れられて、土壌強化材料が、擁壁にさらに固定される状態で、次の段のブロックが、下部段上に配置される。また、本発明は、ブロックおよびチャネルバーに関し、さらに、ブロックを用いて壁を、ブロックおよびチャネルバーシステムを用いて壁を、ならびにブロックおよびピン止めシステムを用いて壁を構築する方法に関する。ブロックおよびチャネルバーの多くの実施形態を開示する。
【００２１】
[0024]前述の概略的な記述と以下の詳細な記述の両方が、例示的であり説明のためのものであり、特許請求される本発明をさらに説明するために意図されたものであることを理解すべきである。
【００２２】
[0025]ここで、本発明の好ましい形態を、例として、添付図面を参照して述べる。
【図面の簡単な説明】
【００２３】
【図１】[0026]本発明の壁ブロックの実施形態の上面斜視図である。
【図２】本発明の壁ブロックの実施形態の側面図である。
【図３】本発明の壁ブロックの実施形態の上面図である。
【図４】本発明の壁ブロックの実施形態の底面図である。
【図５】[0027]本発明の壁ブロックの第２の実施形態の上面図である。
【図６】本発明の壁ブロックの第２の実施形態の側面図である。
【図７】[0028]図７Ａは、本発明のブロックおよびピン止めシステムの横断面図である。                  図７Ｂは、本発明のブロックおよびピン止めシステムの横断面図である。
【図８】[0029]本発明の壁ブロックの第３の実施形態の上面図である。
【図９】本発明の壁ブロックの第３の実施形態の底面図である。
【図１０】[0030]本発明の壁ブロックの第４の実施形態の上面図である。
【図１１】図１０の壁ブロックの異なる実施形態の前面図である。
【図１２】図１０の壁ブロックの異なる実施形態の前面図である。
【図１３】[0031]本発明のチャネルバーの底面図である。
【図１４】本発明のチャネルバーの横断側面図である。
【図１５】本発明のチャネルバーの第２の実施形態の上面図である。
【図１６】本発明のチャネルバーの第３の実施形態の前面図である。
【図１７】本発明のチャネルバーの第４の実施形態の前面図である。
【図１８】[0032]本発明のピン止めおよびチャネルバーシステムを備える、図１０のブロックの横断側面図である。
【図１９】本発明のピン止めおよびチャネルバーシステムを備える、図１０のブロックの横断側面図である。
【図２０】本発明のピン止めおよびチャネルバーシステムを備える、図１０のブロックの横断側面図である。
【図２１】本発明のピン止めおよびチャネルバーシステムを備える、図１０のブロックの横断側面図である。
【図２２】本発明のピン止めおよびチャネルバーシステムを備える、図１０のブロックの横断側面図である。
【図２３】[0033]本発明のピン止めおよびチャネルバーシステムを備える、図１〜図４のブロックの斜視図である。
【図２４】本発明のピン止めおよびチャネルバーシステムを備える、図１〜図４のブロックの斜視図である。
【図２５】本発明のピン止めおよびチャネルバーシステムを備える、図１〜図４のブロックの斜視図である。
【図２６】本発明のピン止めおよびチャネルバーシステムを備える、図１〜図４のブロックの斜視図である。
【図２７】本発明のピン止めおよびチャネルバーシステムを備える、図１〜図４のブロックの斜視図である。
【図２８】[0034]本発明の異なるチャネルバーシステムを備える、図１〜図４のブロックの横断側面図である。
【図２９】本発明の異なるチャネルバーシステムを備える、図１〜図４のブロックの横断側面図である。
【図３０】本発明の異なるチャネルバーシステムを備える、図１〜図４のブロックの横断側面図である。
【図３１】[0035]本発明の直線状の垂直擁壁を示す図である。
【図３２】本発明の直線状のセットバックさせた擁壁を示す図である。
【図３３】[0036]本発明の湾曲した垂直擁壁の上面図である。
【図３４】本発明の湾曲した垂直擁壁の背面斜視図である。
【図３５】本発明の湾曲した垂直擁壁の前面斜視図である。
【図３６】[0037]本発明のチャネルバーの上面図である。
【図３７】本発明のチャネルバーの横断側面図である。
【図３８】本発明のチャネルバーの横断側面図である。
【発明を実施するための形態】
【００２４】
[0038]本願では、「上部（ｕｐｐｅｒ）」および「下部（ｌｏｗｅｒ）」は、擁壁中へのブロックの配置を参照する。下部面は、下方の方に向く、すなわち、それが、地面の方に向くように配置される。擁壁の形成の際、１列のブロックが下に敷かれて、段を形成する。第２の段が、１つのブロックの下部面を別のブロックの上面に配置することによって、この段の上部に敷かれる。
【００２５】
[0039]本発明のブロックを、対称垂直面に関して対称であるように述べて示す。しかし、本発明の特徴は、非対称であるブロックにも組み込むことができる。ブロックは、ピン穴、ピン受入キャビティ、および少なくとも１つのコアを備え、コアは、ブロックの重量を減少させ、さらにその強度を維持し、一方また、擁壁の構築を容易にするように働く。また、ブロックは、１つまたは複数の受入チャネルを備える。ピン穴、ピン受入キャビティおよび受入チャネルの位置、形状およびサイズは、図面を参照して述べるように、ブロックの強度を最大にするように選択される。また、ピン穴、ピン受入キャビティおよび受入チャネルは、様々な壁を形成するために、以下に述べるピンおよびチャネルバーに加えて、異なるブロックのタイプおよびブロック形状においても使用することができるはずであり、かつ、これらの特徴を備えて示すブロックが、本発明の範囲を限定しないことを理解すべきである。
【００２６】
[0040]本発明は、ブロック本体を含む壁ブロックを提供し、そのブロック本体は、対向する前面および背面、対向する第１および第２の側壁、ならびに対向する実質的に平行な上面および底面を有し、上面は、受入チャネルを有し、受入チャネルは、１つまたは複数のピン穴の方に開口する。一実施形態では、前面は、背面に対して実質的に平行である。一実施形態では、受入チャネルは、前面に対して実質的に平行である。ある実施形態では、受入チャネルは、対称垂直面に対して実質的に垂直である。ある実施形態では、受入チャネルは、背面よりも前面に近接している。ある実施形態では、受入チャネルが、第１の側壁から第２の側壁に延在し、第１および第２の側壁の方に開口する。別の実施形態では、受入チャネルは、第１の側壁から第２の側壁に延在せず、第１の側壁の方にも第２の側壁の方にも開口しない。
【００２７】
[0041]ある実施形態では、受入チャネルは、少なくとも１つのペアのピン穴の方に開口する。一実施形態では、１つのペアのピン穴の方に開口する。別の実施形態では、受入チャネルは、２つのペアのピン穴の方に開口する。
【００２８】
[0042]ある実施形態では、受入チャネルは、ペアのピン受入キャビティの方に開口する。一実施形態では、ピン受入キャビティは、上部を有し、ピン受入キャビティの上部は、受入チャネルの方にだけ開口する。ある実施形態では、ピン受入キャビティは、上部を有し、ピン受入キャビティの上部は、受入チャネルおよび上面の方に開口する。ある実施形態では、前面と背面の両方は、ある長さを有し、前面の長さは、背面の長さより長い。一実施形態では、側壁の少なくとも一部分が、前面から背面にかけて内側に傾斜し、したがって、それぞれの側壁の一部分が、前面と鋭角を形成する。
【００２９】
[0043]一実施形態では、受入チャネルは、深さが、６．４〜３８ｍｍ（０．２５〜１．５インチ）である。ある実施形態では、底面は、ピンを受け取ることができる第２の受入チャネルを含む。別の実施形態では、ブロックは、コアを含む。
【００３０】
[0044]本発明は、複数の壁ブロックから形成される壁を安定させるために使用される土壌保持材料を係合する際に使用するためのチャネルバーを提供し、それぞれのブロックは、受入チャネルを有する上面を有し、そのチャネルバーは、受入チャネル内に土壌保持材料を係合するように構成された細長いバーを含み、その細長いバーは、概して矩形であり、上面、底面、前面、背面、ならびに第１および第２の側面を有し、上面と底面は、実質的に平行であり、第１の側面と第２の側面は、実質的に平行であり、前面は、複合的な角度がある形状を有し、その細長いバーは、ピンを受け入れる少なくとも１つのピン受入スラットを有する。一実施形態では、細長いバーは、ピンを受け入れる少なくとも２つのピン受入スラットを有する。ある実施形態では、背面は、形状が湾曲している。
【００３１】
[0045]本発明は、複数の壁ブロックから形成される壁を安定させるために使用される土壌保持材料を係合する際に使用するためのチャネルバーを提供し、それぞれのブロックは、受入チャネルを有する上面を有し、そのチャネルバーは、受入チャネル内に土壌保持材料を係合するように構成された細長いバーを含み、その細長いバーは、上面、底面、前面、背面、ならびに第１および第２の側面を含む、概して矩形の土台部を有し、上面と底面は、実質的に平行であり、第１の側面と第２の側面は、実質的に平行であり、前面と背面は、実質的に平行であり、底面は、底面から延びる少なくとも１つのチャネルバーのピンを有する。ある実施形態では、底面は、底面から延びる少なくとも２つのチャネルバーのピンを有する。一実施形態では、上面は、上面から延びる少なくとも１つのチャネルバーのピンを有する。ある実施形態では、上面は、上面から延びる少なくとも２つのチャネルバーのピンを有する。ある実施形態では、少なくとも１つのチャネルバーのピンが、摩擦フィンを含む。
【００３２】
[0046]本発明は、擁壁を提供し、その擁壁は、少なくとも１つの下部段および少なくとも１つの上部段を含む複数のブロックであって、少なくとも１つのブロックが、対向する前面および背面、対向する第１および第２の側壁、ならびに対向する実質的に平行な上面および底面を有するブロック本体を含み、上面は、受入チャネルを有し、受入チャネルは、１つまたは複数のピン穴の方に開口する、複数のブロックと、土壌保持材料と、受入チャネル内に土壌保持材料を係合するように構成された細長いバーを含むチャネルバーとを含み、その細長いバーは、概して矩形であり、上面、底面、前面、背面、ならびに第１および第２の側面を有し、上面と底面は、実質的に平行であり、第１の側面と第２の側面は、実質的に平行であり、その細長いバーは、ピンを受け入れる少なくとも１つのピン受入スラットを有する。一実施形態では、少なくとも１つのブロックの前面は、背面に対して実質的に平行である。ある実施形態では、少なくとも１つのブロックの受入チャネルは、前面に対して実質的に平行である。ある実施形態では、少なくとも１つのブロックの受入チャネルは、対称垂直面に対して実質的に垂直である。ある実施形態では、少なくとも１つのブロックの受入チャネルは、背面よりも前面に近接している。一実施形態では、少なくとも１つのブロックの受入チャネルは、第１の側壁から第２の側壁に延在し、第１および第２の側壁の方に開口する。ある実施形態では、少なくとも１つのブロックの受入チャネルは、第１の側壁から第２の側壁に延在せず、第１の側壁の方にも第２の側壁の方にも開口しない。ある実施形態では、少なくとも１つのブロックの受入チャネルは、少なくとも１つのペアのピン穴の方に開口する。ある実施形態では、少なくとも１つのブロックの受入チャネルは、１つのペアのピン穴の方に開口する。ある実施形態では、少なくとも１つのブロックの受入チャネルは、２つのペアのピン穴の方に開口する。ある実施形態では、少なくとも１つのブロックの受入チャネルは、ペアのピン受入キャビティの方に開口する。ある実施形態では、少なくとも１つのブロックのピン受入キャビティは、上部を有し、ピン受入キャビティの上部は、受入チャネルの方にだけ開口する。一実施形態では、少なくとも１つのブロックのピン受入キャビティは、上部を有し、ピン受入キャビティの上部は、受入チャネルおよび上面の方に開口する。ある実施形態では、少なくとも１つのブロックの前面と背面の両方が、ある長さを有し、前面の長さは、背面の長さより長い。一実施形態では、少なくとも１つのブロックが、コアを含む。
【００３３】
[0047]ある実施形態では、細長いバーは、ピンを受け入れる少なくとも２つのピン受入スラットを有する。一実施形態では、細長いバーの背面は、形状が湾曲している。ある実施形態では、チャネルバーの前面は、複合的な角度がある形状を有する。一実施形態では、細長いバーの前面と背面は、実質的に平行である。ある実施形態では、擁壁は、１つまたは複数のピン穴中に１つまたは複数のピンをさらに含む。
【００３４】
[0048]本発明は、擁壁を提供し、その擁壁は、少なくとも１つの下部段および少なくとも１つの上部段を含む複数のブロックであって、少なくとも１つのブロックが、対向する前面および背面、対向する第１および第２の側壁、ならびに対向する実質的に平行な上面および底面を有するブロック本体を含み、上面は、受入チャネルを有し、受入チャネルは、１つまたは複数のピン穴の方に開口する、複数のブロックと、土壌保持材料と、受入チャネル内に土壌保持材料を係合するように構成された細長いバーを含むチャネルバーとを含み、その細長いバーは、上面、底面、前面、背面、ならびに第１および第２の側面を含む、概して矩形の土台部を有し、上面と底面は、実質的に平行であり、第１の側面と第２の側面は、実質的に平行であり、前面と背面は、実質的に平行であり、底面は、底面から延びる少なくとも１つのチャネルバーのピンを有する。ある実施形態では、概して矩形の土台部の底面は、底面から延びる少なくとも２つのチャネルバーのピンを有する。ある実施形態では、概して矩形の土台部の上面は、上面から延びる少なくとも１つのチャネルバーのピンを有する。ある実施形態では、概して矩形の土台部の上面は、上面から延びる少なくとも２つのチャネルバーのピンを有する。ある実施形態では、少なくとも１つのチャネルバーのピンが、摩擦フィンを含む。
【００３５】
[0049]図１〜図４に、擁壁ブロックのある実施形態を示す。ブロック１００が、頑丈な耐候性の材料から、好ましくは（そして典型的には）スランプなし（ｚｅｒｏ−ｓｌｕｍｐ）の成形コンクリートから製作される。他の適切な材料は、プラスチック、強化繊維、木材、金属および石材を含む。ブロック１００は、平行な上面１０２および底面１０３と、前面１０４と、背面１０５と、第１の側壁１０６および第２の側壁１０７とを含む。前面１０４および背面１０５は、それぞれ上面１０２から底面１０３に延在する。側壁１０６および１０７は、上面１０２から底面１０３に、かつ前面１０４から背面１０５に延在する。ブロック１００は、概して、対称垂直面Ｓに関して対称である。
【００３６】
[0050]ブロック１００は、本体部１０８と、後方部１０９と、本体部１０８を後方部１０９に接続するネック部１１０とを含む。前面１０４は、本体部１０８の一部分を形成し、さらに背面１０５は、後方部１０９の一部分を形成する。本体部１０８、後方部１０９およびネック部１１０は、それぞれ上面１０２と底面１０３との間に、および第１の側壁１０６と第２の側壁１０７との間に延在する。それゆえ、側壁１０６および１０７は、本体部１０８およびヘッド部１０９の幅に比べてネック部１１０の幅を減少させた結果として、複合的な形状のものであって、側面空間部１１２を有する。また、側壁１０６および１０７は、本体部１０８の一部分である側面１１１と、後方部１０９の一部分である側面１１３とを有する。側壁１０６の側面１１１および側壁１０７の側面１１１は、ブロックの背面１０５に向けて引っ込むように角度を付けられており、壁の段中のブロックの側面１１１が、壁の段中の別のブロックの側壁１１１に直接隣接して位置合わせされたとき、壁を湾曲させて生成することができる。構築される壁の形状が、限定するものでなく、かつ、また、構築される壁の段中のブロックの配置を、所望に応じて、直線状とする、または湾曲状と直線状の任意の組み合わせとすることができることに留意すべきである。
【００３７】
[0051]開口部またはコア１１４が、ネック部１１０を貫通して上面１０２から底面１０３に延びる。コア１１４は、任意選択であり、ブロック１００の重量を軽減するという利点をもたらす。また、側面空間部１１２は、ブロック１００の重量を軽減する。ブロック重量を軽減すると、製造上の利点と、材料がより少なくなることによりコストを減少させるので、ブロックから壁を構築するときの利点との両方をもたらし、ブロックを持ち上げるのをより容易にする。
【００３８】
[0052]第１および第２のピン受入キャビティ１１８が、本体部１０８中に位置決めされ、上面１０２と底面１０３との間に延びる、すなわち上面と底面の両方の方に開口する。ピン受入キャビティ１１８は、キドニー（ｋｉｄｎｅｙ）と言われ、三角形または細長い穴に形作られ、キャビティは、曲線をなして鋭角がない。キャビティの形状、サイズおよび位置は、ブロックの強度を最大にするように選択され、さらに同時に、キャビティが、上面と底面との間に延びているので、ブロックの重量を軽減させる。ピン受入キャビティ１１８は、ブロックを全部貫通して延びることが好ましいが、それは、本発明の要件でなく、本発明の範囲に関して限定するものでない。これは、利点である、というのは、敷設業者が、上部段中のブロックのピン受入キャビティを通して、下部段中のブロック中のピンを見ることができ、それゆえ位置合わせがより容易になるので、本発明のピン止めシステムを備える壁の構築が、簡単化されるからである。また、ブロックの重量が軽減されると、ブロックの処理がより容易になり、より少ない材料を使用してブロックを製作し、それによって製造の全体コストが減少される。
【００３９】
[0053]ピン受入キャビティ１１８は、ペアの第１のピン穴１１６、すなわち第１および第２のピン穴に隣接し、また、それらは、ブロックの本体部１０８中に位置決めされる。第１のペアのピン穴１１６は、ピン受入キャビティ１１８から離れて位置付けられ、コア１１４に向けて、および対称ラインＳに向けて、わずかにセットバックされる。また、任意選択の第２のペアのピン穴１１７、すなわち第３および第４のピン穴が、ブロック１００中に示されている。この任意選択のセットのピン穴は、後方の方向で、第１のセットのピン穴に比べて、さらにコアに向けて対称ラインＳから離れて位置決めされ、以下にさらに述べるように、壁を構築するとき、ブロックをずらして積み重ねる方法をもたらす。
【００４０】
[0054]ピン穴は、典型的に、上面１０２から底面１０３に貫通して延び、図７Ａおよび図７Ｂに示すピン５０を受け入れるような大きさに作られる。ピン５０は、壁を構築するとき、ブロックの下部段の上面１０２中のピン穴中に入れられるシャフト５１を有する。また、ピン５０は、下部段のブロックの表面から突き出て、構築される壁の上部段中のブロックのピン受入キャビティの垂直な後方壁に当接するヘッドを有することができる。ピンのヘッド（ある場合）は、直径がシャフト５１より大きくてもよく、また、先細り、正方形、円形、または任意の他の所望の形状であってもよい。さらに、ピンのシャフト５１は、円形、正方形、または同様に任意の他の所望の形状とすることができる。このように、壁中のブロックの下部段上のブロック中のピンは、上部段中のブロックのピン受入キャビティを係合する。この結果、ブロックは、壁の構築の際に利用されるピン穴の位置に応じて、所定のセットバック量で、またはセットバックされずに、段の間で連結される。ピンの形状は、限定するものでなく、たとえば、ヘッドを有さないで一様に形作ることができるはずである、または任意の他の数の形体を有することができるはずであることを理解すべきである。さらに、ピン穴を、上面からブロックを貫通して底面に延びるように示しているが、本発明は、ブロックを全部貫通せずに延びないピン穴に対して同様に適用可能である。
【００４１】
[0055]第２のピン穴１１７は、第１のピン穴１１６に対して、後方部またはヘッド部に向けて、および側面窪み部１１２に向けて配置される。第２のピン穴１１７は、第１のピン穴１１６によってもたらされるセットバックに比べて、セットバックを増加させる。所望なら、所定のセットバックをさらに選択するために、さらなるピン穴を設けることができる。さらに、ブロックの本体部中のピン穴の位置、ならびにピン受入キャビティの位置も、所望なら変更することができる。任意選択で、図１０に示すように、用途に応じて所望のように、１つのセットのピン穴だけを設けることができる。
【００４２】
[0056]上面１０２は、本体部１０８中に位置決めされる受入チャネル１３０を有する。受入チャネル１３０は、図１および図３に示すように、本体部の全長に延在し、側壁１０６および１０７の側面１１１の方に開口することができる。また、チャネルは、ペアのピン受入キャビティ１１８中に開口することができ、さらに、一方側でピン受入キャビティ１１８の壁１２２と位置合わせすることができる。また、チャネルは、第１のペアのピン穴１１６中に、かつ第２のペアのピン穴１１７中に開口することができる。受入チャネルは、以下でより詳細に論議するように、チャネルバー、およびジオグリッドなどの土壌保持材料の２つの層（折り重ねることによる）を収納するのに十分な幅および深さのものとすることができる。受入チャネルは、具体的に、幅を６．４〜３８ｍｍ（１／４〜１１／２インチ）にすることができるが、用途に応じて、より広く、またはより狭くすることができる。チャネルの形状、幅および長さは、用途に応じて変更することができ、たとえば、セットのピン穴の１つのセットだけを含むことができるはずである、または図１０に示すように、ピン受入キャビティを完全に含むことができるはずであることに留意すべきである。その長さは、本体部１０８の全長にわたる必要がなく、任意選択で、図８に示すように、用途に応じて、一方の側壁の方にだけ開口する、またはどちらの側壁にも開口しないことができるはずであることにさらに留意すべきである。
【００４３】
[0057]ブロック１００は、上面が上方を向いて、鋳型中で製造される。チャネル鋳型スラットが、鋳型の上部に取り付けられ、鋳型の内部の材料が、チャネル鋳型スラットのまわりで固まるので、ブロックの上面１０２中に受入チャネル１３０が付与される。次いで、チャネル鋳型スラットは、取り外され、受入チャネルが、ブロックの上面中に形成された状態で、ブロックが、鋳型から取り外される。
【００４４】
[0058]図１〜図４に示すブロックは、様々な寸法を有することができるが、ブロック１００は、典型的に、高さ（すなわち、面１０２と面１０３との間の距離）が約２０３ｍｍ（約８インチ）であり、本体部長さ（すなわち、側壁１０６の側面１１１から側壁１０７の側面１１１までの距離）が約４５７ｍｍ（約１８インチ）であり、幅（すなわち、前面１０４から背面１０５までの距離）が約３０５ｍｍ（約１２インチ）である。
【００４５】
[0059]図５〜図７Ｂに、ブロックの代替的実施形態を示す。ブロック２００は、ブロック１００と実質的に同様であるが、ただし、受入チャネルの壁２３１、または受入チャネル２３０と背面２０５とが、半径または丸めた縁部を与えられている。この丸めた縁部は、受入チャネルの壁および背面の鋭角上でジオグリッドが裂ける、または破れるという不具合の発生を最小にするのに役立ち、それゆえ、このようなブロックを用いて建築される壁の安定性および耐久性が、より高くなることが保証される。さらに、ピン受入キャビティ２１８は、それぞれ、上面２０２および底面２０３に対して実質的に垂直な後方壁２２２を有する。ピン受入キャビティのキドニーの、三角形の、または細長い穴の形状の残された壁の表面を、製造を容易にするために、先細りにすることができる。すなわち、ブロックの上面２０２におけるキドニー形状のピン受入キャビティの開口部の表面積は、ブロックの底面２０３中の開口したキドニー形状のピン受入キャビティの表面積よりわずかに広い。ピン受入キャビティの表面のいくつかの表面のこのテーパーは、鋳型中のブロックからコアバーをより容易に取り外し、さらにピン受入キャビティの形状の完全性を維持するのに役立つ抜き勾配を生成することによって、鋳型中のブロックからピン受入キャビティを形成するために使用されるピン受入鋳型バーを取り外すために、ブロックの製造の際に使用される。ピン受入キャビティの壁２２２は、ピン受入キャビティの内部にピン５０のヘッドを受け入れるための当接部をより頑丈に生成するために、実質的に垂直のままであるように設計することができる。図７Ａおよび図７Ｂに、２つの段の間に固定された連結接続部を示す。ピン５０のヘッド５２が、ピン受入キャビティの壁２２２に当接して、ピンを、下の段のブロックのピン穴中で斜め方向に移させ、そして、それゆえピン穴およびピン受入キャビティ中にピンを固定する。これは、限定するものでなく、ピン受入キャビティのすべての壁は、用途に応じて、すべて先細りにする、または垂直にする、またはその組み合わせとすることができるはずであることに留意すべきである。
【００４６】
[0060]図８および図９に、本発明のブロックの別の実施形態を示す。図８に、ブロック３００の上面図を示す。受入チャネル３３０を、本体部３０８中で上面３０２上に成形することができる。ブロック１００の受入チャネルと違って、受入チャネル３３０は、延在せず、ブロック３００の側壁の方に開口せず、ブロックの本体部３０８内に完全に含まれる。図９に、ブロックの底面３０３上に追加の受入チャネル３３５を有するブロック３００の底面図を示し、その受入チャネル３３５は、チャネルの内部の任意の位置でブロックの下部段からのピンのヘッドを受け入れることができ、壁設計をより柔軟性にし、さらに、１つの段中のブロックを次の上部段中のブロックに固定する。受入チャネル３３５は、ブロックの下部段ピンが、ブロック表面の長さ方向に沿ったより広い範囲の領域中に受け入れられるのを可能にすることによって、壁中の上部段のブロックが、任意選択で、壁中の下部段からの輪郭に、特に湾曲したおよび曲線の輪郭に、より正確に、かつより容易な据え付けで追随することを可能にする。受入チャネル３３５は、示すように、またはピン受入キャビティの所定の位置で、ピン受入キャビティと組み合わせてブロック中に組み込むことができるはずである。
【００４７】
[0061]図１０に、本発明のブロックの追加の実施形態を示す。ブロック４００は、ブロック１００と実質的に同様であるが、ただしブロック４００は、１つのセットのピン穴４１６だけを有する。さらに、受入チャネル４３０が、受入チャネル１３０より幅が広く、ピン受入チャネル４１８が、受入チャネル４３０内に完全に含まれる。図１１および図１２に、所望のパターン、設計または肌理を備えて設けられた、ブロック４００の前面４０４を示す。これらのパターンまたは肌理は、本発明のブロックのうちのいずれの前面または背面に適用することができるはずである。たとえば、天然石の外観などの粗面化した表面が、所望の外観であれば、成形プロセスの間、当技術分野で既知のライナを用いて形成することができる。パターンまたは設計は、限定するものでなく、任意の所望のパターンが、所望のように、ブロック表面上にインプリントできるはずであることに留意すべきである。
【００４８】
[0062]図１３〜図１７に、チャネルバーの異なる実施形態を示し、そのチャネルバーは、ジオグリッドなどの土壌保持材料を壁ブロックに、したがって壁自体に固定するのに役立つように、上記で述べたピン止めシステムと組み合わせて、またはピン止めシステムとは別に使用することができる。図１３および図１４に、形状が矩形であり、壁ブロックのピン止めシステムのピン５０を受け入れるピン受入スラット７１ａを有するチャネルバー７０ａを示す。チャネルバー７０ａは、上面７２、底面７４、前面７６、背面７８、および側面７９を有する。図１３のラインＡ−Ａに沿った横断面図である図１４でもっともよく分かるように、背面７８は、湾曲した、または半径を有する形状を有し、前面７６は、複合的な角度がある形状を有する。受入スラット７１ａは、楕円形の形状を有し、受入スラットの壁が、曲線から成り、その半径が、チャネルバーの底面から上面に向かって中間点までは大きくなり、次いで減少する。受入スラットは、用途に応じて、任意の数のサイズおよび形状を有することができることに留意すべきである。チャネルバーは、壁ブロックの受入チャネルの内部に収容される幅と長さの大きさに作られ、たとえば、その厚さを３．２〜６．４ｍｍ（１／８〜１／４インチ）にすることができる。長さが、１個のブロックの受入チャネルの長さと実質的に同様であるチャネルバーの利点は、ブロックおよびチャネルバーからジオグリッドを用いて壁を構築するとき、チャネルバーは、扱いおよび配置がより容易であり、また、以下で述べるように、構築されるいずれの壁も湾曲するのが可能になることである。チャネルバーの長さ、幅および深さは、限定するものでなく、チャネルバーは、用途に応じて、任意の所望の幅、長さまたは深さを有することができるはずであることに留意すべきである。また、受入チャネルは、任意の所望の幅、長さまたは深さを有することができる。図１８〜図２２に示す受入チャネルより深さが浅い受入チャネルの例として、図２３〜図２６を参照されたい。たとえば、チャネルバーは、１つのブロックの受入チャネル中に入れることができ、隣接するブロックまたは複数のブロックの受入チャネル中に延在するような大きさに作ることができる。さらに、チャネルバーの幅は、用途に応じて所望のように、受入チャネルと同じほどの幅に、またはそれより狭くすることができるはずである。本発明のチャネルバーは、射出成型プラスチックなど、任意の適切な材料から製作することができる。さらに、チャネルバーの前面および背面が、任意の所望の形状または形状の組み合わせを有することができることに留意すべきである。
【００４９】
[0063]図１５に、矩形形状を有し、壁ブロックのピン止めシステムのピン５０を受け入れるピン受入スラット７１ｂを有するチャネルバー７０ｂを示す。チャネルバー７０ａとは違って、チャネルバー７０ｂの壁が、その上面および底面に対して垂直である。図３６に示すように、また、ピン受入スラット７１ｃは、その形状を円形にし、ピンの形状にすっかり密着して合わせることができるはずである。図３７および図３８に示すように、ジオグリッドに接触するチャネルバーの縁部はまた、粗面化し、または溝を付けて、ジオグリッドをより良好に固定することができるはずである。これらの縁部は、丸める（図３７）または直線状（図３８）にすることができるはずである。
【００５０】
[0064]図１６に、底面から延びるスラットを受け入れることの代わりに、チャネルバーのピン７５を有するチャネルバー７０ｃを示す。チャネルバー７０ｃは、別個のピンの必要をなくし、ピン止めシステムとジオグリッド固定システムを１つの部分に組み合わせる。図１７に、チャネルバー７０ｃと同様であるが、ただしチャネルバーのピン７５が、上面と底面の両方から延びる、チャネルバー７０ｄを示す。
【００５１】
[0065]図１８〜図２２に、ピン穴４１６中に挿入するピンを利用して、ブロックを連結させ、チャネルバー７０ａを使用してジオグリッドＧを受入チャネル４３０に固定し、それによって構築される構造物を安定させる、擁壁などの構造物をブロック４００から構築する方法を示す。壁を構築する方法を示すために、図１８〜図２２に、ピン穴４１６および受入チャネル４３０を含む、壁中のブロックの上面の小さな部分だけを示す。図１８〜図２２に、図１０のラインＡ−Ａに沿ったブロック４００の横断面図を示す。ブロックの前面は、図示していないが、図面中で右側に方向付けられる。壁によって保持されることになる土または土壌は、図面中で左側に方向付けられる、または位置決めされる。通常、壁を構築するとき、溝が、事前に選択された深さまで掘られ、砕石などの粒状材料の水平な基礎で敷き詰められる。次いで、基礎層が配置され、砕石上で水平にされる。前面４０４が外側に向き、底面が下側に向いた状態で、ブロックが、並んで配置される。図１８に、壁中のブロック段中のブロック４００の一部分を極めて拡大して示して、チャネル４３０およびピン穴４１６を示し、そこでは、ブロックの前方が図面の右側に方向付けられ、壁によって保持されることになる土壌または土が、図面の左側に方向付けられる。一度基礎層が敷かれると、壁が所望の高さに達するまで、ブロックの追加の段が配置される。壁の構築の間、ピン５０が、図１９に示すように、下部段中のブロックの上面中のピン穴４１６中に入れられ、ピンの上部部分が、ブロックの隣接する上部段中のブロック中のピン受入キャビティ４１８中に受け入れられて、段を接続して安定させる。
【００５２】
[0066]壁が、強化を望まれる、または求められる高さに達したとき、ジオグリッドＧなどの土壌保持材料は、壁中のブロックの段の間に配置することができる。ジオグリッドＧは、図２０に示すように、擁壁の背後の土から外側へ向けて延在し、壁ブロック上に、およびピン５０を覆って配置される。次いで、チャネルバー７０ａが、図２１に示すように、ジオグリッド層およびピン５０を覆って配置される。チャネルバー７０ａは、チャネルバー７０ａの上面７２が上方を向き、その背面７８がブロック４００の前面の方を向いた状態で、受入チャネル４３０中に入れられ、したがって、前面７６は、ブロック４００の後方部の方を向いている。
【００５３】
[0067]図２２に示すように、次いで、ブロックの前面から外側に向かい、保持すべき土から離れて延在するジオグリッドＧは、チャネルバーおよびピンを覆って、またはそのまわりで折り返され、したがって保持される土の方に戻って延在して、ジオグリッドが、壁ブロックに固定される。ジオグリッドＧは、チャネルバー７０ａおよびピン５０のまわりで折り返され、その上でしっかりと引っ張られて、生成される張力によって、チャネルバーが、ブロック４００の受入チャネル４３０の内部で枢動させられる。チャネルバーが枢動するので、チャネルバー７０ａの角度のある前面７６が、受入キャビティ４３０の底面４３２と係合し、先細りのピン受入スラット７１ａがピン５０の表面と係合し、それによって、チャネルバー７０ａが、ブロック４００の受入チャネル４３０の内部にロックされる、またはしっかりと固定される。図１５または図３６のチャネルバーが使用された場合、チャネルバーは、ジオグリッドＧが張力下に置かれたとき、それほど枢動しないはずである。受入チャネル中にチャネルバーを固定させるジオグリッドの張力は、ジオグリッドの保持力のために、絶えず維持される。チャネルバーの製造形状およびチャネルバーの受入スラットによって、ジオグリッドを、ブロックの受入チャネル中に、それによって擁壁にしっかりと固定することが可能になり、構築される壁の全体構造の完全性が増加される。ブロックの下部面中のピン受入チャネルが、下部段のブロック中のピンを受け取った状態で、ブロックの次の層が、この段の上部に配置され、それは、受入チャネル中にジオグリッドを、それゆえ、チャネルバーをさらにロックして固定することに役立つ。壁が、所望の高さに達するまで、これが、壁のその後の層すべてについて継続される。用途に応じて、壁の構築の際、ブロックの上面が、ブロックの底面になるように、本発明のブロックをひっくり返し、したがって、ジオグリッドをブロックの底面に固定することによって、ジオグリッドの受入チャネルを、ブロックの底面に固定することができるはずであることに留意すべきである。
【００５４】
[0068]図２３〜図２７に、ブロックとチャネルバー７０ｂを連結して、ジオグリッドＧを受入チャネル１３０に固定するために、ピン穴１１６中に挿入されるピンを使用し、それによって構造物が構築される、擁壁などの構造物をブロック１００から構築する方法を示す。前面１０４が外側を向き、底面が下側を向いた状態で、ブロックは、並べて配置される。一度基礎層が敷かれると、ピン５０が、図２３に示すように、ピン穴１１６中に入れられ、所望の高さに達するまで、ブロックの追加の段が、上記に述べた方法と同様に配置される。
【００５５】
[0069]一度、壁が、強化または安定化が望まれる、または必要である高さに達すると、ジオグリッドＧなどの土壌保持材料を使用することができる。ジオグリッドＧは、図２４に示すように、擁壁の背後の土から外側に延在し、壁ブロック上に、およびピン５０を覆って配置される。次いで、チャネルバー７０ｂが、図２５に示すように、ジオグリッド層を覆って、およびピン５０を覆って配置される。次いで、ジオグリッドＧは、図２６に示すように、チャネルバー７０ｂおよびピン５０を覆って折り返されて、しっかりと引っ張られる。次の層中のブロックの底面中のピン受入キャビティが、下部段のブロック中のピンの上部部分を受け取った状態で、ブロックの次の層が、基礎段の上部に配置され、それは、受入チャネル中にジオグリッドを、したがってチャネルバーをさらにロックして固定するのに役立つ。図２７を参照のこと。所望の高さに達するまで、壁の構築が継続される。壁の安定性および安全性を維持するために、所望のように、または必要に応じて、１つまたは複数の追加のジオグリッドの層を含めることができる。
【００５６】
[0070]図２８〜図３０に、ジオグリッドを壁に取り付けるために、ピン５０を使用する代わりに、図１６および図１７に示す本発明のチャネルバーを使用することができるはずである、異なる方法を示す。図２８に、下方に方向付けられ、ジオグリッドＧを貫通して受入チャネル１３０のピン穴１１６中に挿入されたチャネルバー７０ｃのチャネルバーのピン７５を示し、次いで、ジオグリッドＧが、チャネルバー７０ｃによって戻されて引っ張られるように準備された状態であることを示す。本実施形態のチャネルバーのピンは、チャネルバー７０ｃを、したがってジオグリッドをブロックにさらに固定するために、摩擦フィン７６を備えている。用途に応じて、本発明のピンまたはチャネルバーのピンの実施形態のうちのいずれにも摩擦フィンを設けることができることに留意すべきである。図２９に、ピン７５が、上方に方向付けられて、ジオグリッドＧの層の上で受入チャネル１３０中に挿入されており、次いで、ジオグリッドＧが、チャネルバー７０ｃを覆って、およびチャネルバーのピン７５を覆って戻されて引っ張られるように準備された状態にある、チャネルバー７０ｃを示す。ジオグリッドが、チャネルバー７０ｃを覆って戻されて引っ張られた後、チャネルバーのピン７５は、ブロックの上部段のピン受入キャビティ中に受け入れられる。図３０に、擁壁の背後の土から延在し、ブロックの受入チャネル１３０中に配置されたジオグリッドＧを示す。次いで、チャネルバー７０ｄの底面のチャネルバーのピン７５が、ジオグリッドを貫通して、ブロックの下部段のピン穴１１６中に通される。次いで、ジオグリッドは、折り返されて、チャネルバー７０ｄのまわりでチャネルバーのピン７５の上にたたまれて、チャネルバー７０ｄの上面から延在する。ピン受入キャビティが、チャネルバー７０ｄの上面のチャネルバーのピン７５を受け取った状態で、ブロックの上部層が、下部段の上部に配置される。
【００５７】
[0071]一度壁が所望の高さに達すると、表土層を追加することができる。通常、ブロックは、隣接する段において長手積みパターンで垂直にずらして配置される。図３１に、ブロック１００の第１のペアのピン穴１１６が、ピン５０とともに利用されている、構築された壁を示す。ピン穴１１６は、段の間でほぼ垂直にセットバックされて垂直の壁５１０をもたらす。図３２に、ブロックを連結するために第２のペアのピン穴１１７を利用して、ブロック１００から構築された直線状の擁壁１９５を示す。分かるように、第２のペアのピン穴１１７をピン５０とともに利用すると、段の間でセットバックされて、後退する壁１９５がもたらされる。ブロックの受入チャネルは、第１のセットまたは第２のセットのピン穴を使用して、ジオグリッドをブロックに固定するために使用されるチャネルバーの幅を含むのに十分に広いことに留意すべきである。
【００５８】
[0072]図３３〜図３５に、ブロック１００を連結するために、第１のペアのピン穴１１６を利用して、ブロック１００から構築される湾曲した擁壁５００を示す。溝が、事前に選択された深さに掘り出され、砕石などの粒状材料の水平の基礎で敷き詰められる。次いで、基礎層が、砕石上に配置され、水平にされる。壁の段中で、側壁１０６の角度を付けた側面１１１が、隣接するブロックの側壁１０７の角度を付けた側面１１１と隣接した状態で、ブロックが並べて配置される。湾曲の大きさは、角度を付けた側面が、互いからどれほど密接しているかに応じて変更することができる。前面１０４が、外側に向けて、底面１０３が、下側に向けて配置される。底面１０３は、ピン受入キャビティ１１８が、ブロックの前の段からピンのヘッドを受け入れることができるように、下側に向けて配置すべきであることに留意すべきである。一度、基礎層が敷かれると、ピンは、ピン穴１１６中に入れられる。ジオグリッドなどの土壌保持材料は、壁の安定化が望まれる、または必要である高さにおいてブロックの段の間で壁ブロック上に擁壁の背後の土から延在し、配置される。ジオグリッドは、ピン５０を覆って配置され、使用されるジオグリッド材料のストリップの幅は、壁の構築の際に、より容易にするために、湾曲部に沿ったブロックの幅と実質的に同様とすることができる。これは、限定するものでなく、ジオグリッド材料のストリップの任意の幅を使用することができることに留意すべきである。次いで、チャネルバー７０ａおよび７０ｂの１つが、ジオグリッド層を覆って、およびピン５０を覆って配置される。次いで、ブロックの前面から外側に、そして保持すべき土から離れて延在するジオグリッドは、チャネルバーおよびピンを覆って折り返され、したがって保持される土に向けて後方に延在して、ジオグリッドを壁ブロックに固定する。チャネルバーの上部を覆って折り返されるジオグリッドの長さは、ジオグリッドの下部層の長さよりかなり長いことが好ましい。図２４、図２５および図３５を参照されたい。ピン受入キャビティ１１８が、ピンのヘッド５２を受け取っている状態で、ブロックの次の層が、基礎段の上部に配置される。これは、壁が所望の高さに達するまで、壁のその後の層すべてについて、継続される。分かるように、第１のペアのピン穴１１６を、ブロックの上部段のピン受入キャビティ１１８中に突き出る、壁中のブロックの下部段中のピン５０とともに使用すると、段の間でほぼ垂直にセットバックされて、ほぼ垂直の壁がもたらされる。
【００５９】
[0073]底面１０３は、ピン受入チャネルが、ブロックの前の段からのピンのヘッドを受け入れることができるように、ブロック３００のピン受入チャネル３３５同様なピン受入チャネルを含むように修正することができるはずである。ピン受入チャネルは、ブロックの本体部の長さ方向に沿った任意の位置でピンのヘッドを受け入れることを可能にすることによって、壁を湾曲させるためのより大きい柔軟性をもたらす。ピン受入チャネルによってもたらされるこの柔軟性は、壁のブロックの一連の段のそれぞれを介して湾曲部の保全性をもたらすことになり、そして一連の段中でブロックを連結する能力を高め、したがって壁には、さらに大きい構造安定性および強度が与えられる。ピン受入チャネルは、多数の異なるブロック形状およびタイプ中に配置することができるはずであり、かつ、用途に応じて、湾曲して、円形に、または波型に形作られる壁を生成するために、本システムを使用して、独立壁など、異なるタイプの壁を製作することができることに留意すべきである。
【００６０】
[0074]具体的な実施形態をここに詳細に開示してきたが、これは、例示する目的のためだけになされており、以下に続く添付の請求項の範囲に関して限定するものと意図されていない。具体的には、特許請求の範囲によって定義される本発明の精神および範囲から逸脱せずに、本発明に対して様々な置換え、変形および修正を実施することができると考えられる。たとえば、材料の選択、または形状、もしくは表面のいくつかが交差する角度の変更は、ここに開示した実施形態の知識を用いると、当業者にとって日常的な問題であると考えられる。
【図１】
2013521422.tif 000003
【図２】
2013521422.tif 000004
【図３】
2013521422.tif 000005
【図４】
2013521422.tif 000006
【図５】
2013521422.tif 000007
【図６】
2013521422.tif 000008
【図７Ａ】
2013521422.tif 000009
【図７Ｂ】
2013521422.tif 000010
【図８】
2013521422.tif 000011
【図９】
2013521422.tif 000012
【図１０】
2013521422.tif 000013
【図１１】
2013521422.tif 000014
【図１２】
2013521422.tif 000015
【図１３】
2013521422.tif 000016
【図１４】
2013521422.tif 000017
【図１５】
2013521422.tif 000018
【図１６】
2013521422.tif 000019
【図１７】
2013521422.tif 000020
【図１８】
2013521422.tif 000021
【図１９】
2013521422.tif 000022
【図２０】
2013521422.tif 000023
【図２１】
2013521422.tif 000024
【図２２】
2013521422.tif 000025
【図２３】
2013521422.tif 000026
【図２４】
2013521422.tif 000027
【図２５】
2013521422.tif 000028
【図２６】
2013521422.tif 000029
【図２７】
2013521422.tif 000030
【図２８】
2013521422.tif 000031
【図２９】
2013521422.tif 000032
【図３０】
2013521422.tif 000033
【図３１】
2013521422.tif 000034
【図３２】
2013521422.tif 000035
【図３３】
2013521422.tif 000036
【図３４】
2013521422.tif 000037
【図３５】
2013521422.tif 000038
【図３６】
2013521422.tif 000039
【図３７】
2013521422.tif 000040
【図３８】
2013521422.tif 000041
【手続補正書】
【提出日】平成24年10月30日(2012.10.30)
【手続補正１】
【補正対象書類名】図面
【補正対象項目名】図７
【補正方法】変更
【補正の内容】
【図７】
2013521422.tif 000042
【国際調査報告】
2013521422.tif 000043
2013521422.tif 000044
2013521422.tif 000045